(57)【特許請求の範囲】
【請求項１】
略立設された平板状の基板と、
この基板の裏面側に設けられたカード処理手段と、
この基板の表面側に揺動自在に支持されカードの下端部を保持する保持部が設けられたホルダーと、
このホルダーの保持部にカードが挿入されたことを検出するセンサと、
前記ホルダーに保持されたカードの全体を前記基板の表面に接触させる位置と、カードの上端部を基板の表面から離間させる位置に傾動させるようにホルダーを揺動させる揺動手段とを備え、
前記基板の表面にカードの外形よりもわずかに大きい外形およびカードの厚みよりもわずかに大きい深さを有する凹部を設けたことを特徴とする非接触型ＩＣカード処理装置。
【請求項２】
請求項１記載の非接触型ＩＣカード処理装置において、
前記ホルダーの保持部を溝とするとともに、このホルダーにレバー部を一体的に設け、
前記揺動手段を前記ホルダーのレバー部を移動させるソレノイドとしたことを特徴とする非接触型ＩＣカード処理装置。
【請求項３】
請求項１記載の非接触型ＩＣカード処理装置において、
前記揺動手段を、モータによって回転するセクタギアと、このセクタギアに噛合し前記ホルダーを揺動させるウォームとによって構成したことを特徴とする非接触型ＩＣカード処理装置。
【発明の詳細な説明】
【０００１】
【発明の属する技術分野】
本発明は、継続的にサービスの提供が行われる装置本体に付設される非接触型ＩＣカード処理装置に関し、特に手によって非接触型ＩＣカード（以下、単にカードという）を抜き差しできる非接触型ＩＣカード処理装置に関する。
【０００２】
【従来の技術】
この種の非接触型ＩＣカード処理装置においては、サービスの提供中に継続的にカードの価値情報を処理する必要がある。このため処理を実行している間にカードが取り出せないように一時的に保持しておくカード保持装置が必要となる。このカード保持装置としては、カードを装置内に取り込んで保持する形式のものがあるが、カードを装置内に取り込むための搬送ベルトや駆動モータを必要とするために、部品点数が増加するだけではなく装置が大型化するという欠点がある。
【０００３】
この欠点を解消するものとして、ポケット状のカード収納部が備えられ、このカード収納部内に利用者が手によってカードを抜き差しする形式のものがある。この形式の非接触型ＩＣカード処理装置においては、カード収納部の裏面側にカードの情報を処理するカードリーダが設けられ、サービスの提供を受けようとする利用者がカードをカード収納部に差し入れると、サービスの提供中にカードリーダによってサービスに応じて無線を介してカードの価値情報が処理される。サービスの提供が終了したら、利用者が手によってカード収納部からカード抜き取るように構成されている。
【０００４】
【発明が解決しようとする課題】
しかしながら、上述した従来の非接触型ＩＣカード処理装置においては、カードを単にカード収納部内に収納するだけの構造であって、カード収納部内のカードの抜き取りを規制する構造は設けられていない。このため、サービスの提供中に利用者が故意または誤ってカードを抜き取ってしまうおそれがあり、この場合にはサービスが中断したり、抜き取られ強制終了させられたカードが次から使用できなくなるという問題があった。
【０００５】
本発明は上記した従来の問題に鑑みなされたものであり、その目的とするところは、構造の簡素化とサービスの向上を図った非接触型ＩＣカード処理装置を提供することにある。
【０００６】
【課題を解決するための手段】
この目的を達成するために、請求項１記載の発明は、略立設された平板状の基板と、この基板の裏面側に設けられたカード処理手段と、この基板の表面側に揺動自在に支持されカードの下端部を保持する保持部が設けられたホルダーと、このホルダーの保持部にカードが挿入されたことを検出するセンサと、前記ホルダーに保持されたカードの全体を前記基板の表面に接触させる位置と、カードの上端部を基板の表面から離間させる位置に傾動させるようにホルダーを揺動させる揺動手段とを備え、前記基板の表面にカードの外形よりもわずかに大きい外形およびカードの厚みよりもわずかに大きい深さを有する凹部を設けたものである。
したがって、ホルダーの保持部にカードが挿入されると、センサによって検出され、揺動手段が作動し、カードは下端部を回動中心として回動して凹部に収納される。カード処理手段によって、提供されたサービスに対応したカードの処理が終了すると、カードは前述とは反対方向に回動し上端部が凹部から飛出した状態になる。
【０００７】
また、請求項２記載の発明は、請求項１記載の発明において、前記ホルダーの保持部を溝とするとともに、このホルダーにレバー部を一体的に設け、前記揺動手段を前記ホルダーのレバー部を移動させるソレノイドとしたものである。
ホルダーの溝内に挿入されたカードは自重により溝から落下することがない。ホルダーとソレノイドといった必要最小限の部品によって構成される。
また、請求項３記載の発明は、請求項１記載の発明において、前記揺動手段を、モータによって回転するセクタギアと、このセクタギアに噛合し前記ホルダーを揺動させるウォームとによって構成したものである。
したがって、モータが回転しセクタギアがウォームに噛合するとホルダーが回動し、ウォームに対してセクタギアの噛合が解除するとホルダーの回動が停止する。
【０００８】
【発明の実施の形態】
以下、本発明の実施の形態を図に基づいて説明する。図１は本発明に係る非接触型ＩＣカード処理装置の背面図、図２は図１におけるＩＩ−ＩＩ  線断面図、図３は同じくホルダーの全体を示す斜視図、図４は同じくカバーを示し、同図（ａ）は正面図、同図（ｂ）は同図（ａ）におけるＩＶ（ｂ）−ＩＶ（ｂ）  線断面図、図５は同じくカード処理の動作を説明するために要部を拡大して示した断面図である。
【０００９】
図１および図２において、全体を符号１で示す非接触型ＩＣカード処理装置１は、立設された平板状の基板２と、この基板２の裏面側に設けられたカード処理手段としてのカードリーダ３と、基板２の表面側の下部に揺動自在に支持されたホルダー４と、このホルダー４を揺動させるソレノイド５とによって概ね構成されている。カードリーダ３はブラケット９を介して基板２の裏面から間隔を隔てて取り付けられている。
【００１０】
基板２の表面には、カードリーダ３に対応して矩形状の凹部１０が設けられており、この凹部１０の外形寸法は、カード６の外形寸法よりもわずかに大きく形成され、深さはカード６の厚みよりもわずかに大きく形成されている。また、基板２の凹部１０の直下には、図５に示すように、カード６の幅よりもやや大きい幅を有する横長の長方形の窓１１が穿設されている。
【００１１】
この窓１１には、カバー７が取り付けられており、このカバー７は、図４に示すように、両側部１２ａ，１２ｂおよび底部１２ｃによって上方が開口した正面視コ字状の枠部１２と、この枠部１２の両側部１２ａ，１２ｂ間に設けられた断面半円形の膨出部１３とによって形成されている。膨出部１３の上部には、膨出部１３の左右方向にカード６の幅よりもやや大きく形成された開口１３ａが設けられ、この開口１３ａの下方には膨出部１３に囲まれた動作空間１４が形成されている。両側部１２ａ，１２ｂの上端部には、裏面側に上述した基板２の厚みだけ離間した一対の鍔１５，１５が一体に突設され、下端部には基板２の厚みだけ離間した一対の係合突起１６，１６が一体に突設されている。このカバー７は、上述した窓１１の上端部を、鍔１５，１５と両側部１２ａ，１２ｂの上端部とで挟持するとともに、窓１１の下端部を、弾性変形させながら係合突起１６，１６と両側部１２ａ，１２ｂの下端部とで挟持することにより、枠部１２が基板２の表面に対接するようにして取り付けられている。
【００１２】
図３において、ホルダー４は左右方向の寸法がカード６の幅よりもわずかに大きく形成され、基端部に嵌挿孔１７ａが形成された軸受部１７がホルダー４の左右方向に延設されている。また、ホルダー４の高さ方向の略中央部から二股状に挟持部１８が一体に形成されており、この挟持部１８によって上方が開口しカード６の厚みよりわずかに大きい幅の溝１９が設けられ、挟持部１８とホルダー４の上端部は折り返し部１８ａ，４ａがそれぞれ設けられている。さらに、ホルダー４の下端の中央部には、略直角に折り曲げられるようにしてレバー部２０が一体に突設され、このレバー部２０には係合溝２０ａが設けられている。このホルダー４は、嵌挿孔１７ａに軸２１が嵌挿され、この軸２１の両端部が上述したカバー７の両側部１２ａ，１２ｂに横架されることにより、図２および図５において動作空間４中を軸２１を回動中心として、時計方向と反時計方向に回動自在に支持されている。
【００１３】
ソレノイド５は基板２の裏面側に窓１１の直下に位置するように、図示を省略したブラケットを介して固定され、このソレノイド５のロッド２２がホルダー４のレバー部２０の係合溝２０ａに係合している。このソレノイド５のロッド２２が進退することにより、図２に示すように、ホルダー４が軸２１を回動中心として時計方向または反時計方向に回動し、ホルダー４の溝１９がカバー７の開口１３ａに対応するようにして、角度αの範囲を揺動するように構成されている。このホルダー４の溝１９の下端部であって軸２１の軸線方向の両端部の図５にＧ−Ｇ線で示す位置には、受・発光素子によって形成された一対の検出センサ（図示せず）が設けられている。
【００１４】
次に、このように構成された非接触型ＩＣカード処理装置におけるカード処理の動作を説明する。
カードの処理が行われていない初期状態においては、図５（ａ）に示すように、ソレノイド５のロッド２２が前進しており、ホルダー４は軸２１を回動中心として時計方向に傾いた状態になっている。この状態において、カード６の下端部をカバー７の開口１３ａからホルダー４の溝１９内に挿入させることによって、Ｇ−Ｇ線上に設けた検出センサ（図示せず）がカード６を検出すると、わずかに時間を遅らせてソレノイド５が駆動され、ロッド２２が後退する。
【００１５】
したがって、同図（ｂ）に示すように、レバー２０を介してホルダー４が軸２１を回動中心として角度αだけ図中反時計方向に回動するので、図２において、カード６は基板２の凹部１０内に収納される。カード６が収納されると、カード６に記録されている価値情報は、カードリーダ３によって無線を介して書き換えられてカードの処理が行われる。このとき、カード６が凹部１０内に収納され、凹部１０の外形寸法が、カード６の外形寸法よりもわずかに大きく形成され、深さはカード６の厚みよりもわずかに大きく形成されているので、カード６の外周端と凹部１０との間に手を差し入れることが規制されている。したがって、カード処理中に手によって故意または誤ってカード６を凹部１０から取り出すことが規制され、このため、サービスが中断したり、次からこのカード６の使用ができなくなるということがないので、サービスが低下することがない。
【００１６】
カード６の処理が終了すると、ソレノイド５の駆動が解除され、ロッド２２が前進するので、図５（ａ）に示すように、ホルダー４が軸２１を回動中心として図中時計方向に角度αだけ回動する。したがって、図２に示すように、カード６の上端部が基板２の表面から離間し、カード６は凹部１０から飛び出るので、カード６の上端部を手によって把持することにより、カード６をホルダー４から取り外すことができる。
【００１７】
このように、カード６を処理するのに、従来のようにカード６を装置内に取り込む必要がないので、カード６を搬送するためのベルトやプーリ等が必要なく、このため、カード詰まりが発生しないとともに、カードの汚れが低減するので、カードをクリーニングすることなく再利用が可能になる。カードの処理を行うためのカード移動手段として、ホルダー４とソレノイド５といった必要最小限の部品によって構成されるので、構造が簡素化されるだけではなく、装置が小型化されるとともに安価に形成される。また、ホルダー４の溝１９内に挿入されたカード６は自重により溝１９から落下することがないので、ホルダー４に特別なカード保持機構を設ける必要がなく、部品点数が削減される。
【００１８】
図６は本発明に係る非接触型ＩＣカード処理装置の第２の実施の形態を示す正面図である。
この第２の実施の形態が、上述した第１の実施の形態と異なる点は、ホルダー４を揺動させる手段だけであって、その他の構成については同一に形成されている。
すなわち、ホルダー４の回動支点としての軸２１にウォーム２５が軸着され、このウォーム２５にセクタギア２６が噛合し、このセクタギア２６が軸着された軸２７は正逆方向に回転可能なモータ（図示せず）によって回転するように構成されている。
【００１９】
このような構成とすることにより、モータを正方向に回転させると、セクタギア２６が図中時計方向に回転し、ウォーム２５が回動することにより、図５（ｂ）に示すように、ホルダー４が軸２１を回動中心として反時計方向に回動する。また、モータを逆方向に回転させることにより、セクタギア２６が図中反時計方向に回転し、ウォーム２５が回動することにより、図５（ａ）に示すように、ホルダー４が軸２１を回動中心として時計方向に回動する。この第２の実施の形態においては、モータとウォーム２５との間にセクタギア２６を介装したことにより、ホルダー４の回動開始時点において、ウォーム２５に対してセクタギア２６の噛合をわずかに外すように位置付けることができる。
【００２０】
したがって、ホルダー４の回動開始のタイミングを、検出センサによってホルダー４内にカード６が挿入されたことを検出してからわずかに遅らせることができる。このため、ホルダー４内に挿入したカード６から手を離す前にホルダー４が回動するようなことないので、手に違和感を感じさせることがなく使い勝手が向上する。また、カード６が凹部１０に収納された後、仮にモータが慣性で回転してもセクタギア２６とウォーム２５との噛合が解除されているので、ウォーム２５は回転するようなことがない。したがって、カード６が凹部１０に収納された後に凹部１０の壁に強く押し付けられるようなことがなく、このため、反動でカード６の凹部１０からの飛出しが規制される。
【００２１】
【発明の効果】
以上説明したように、請求項１記載の発明によれば、カード処理中に凹部に収納されたカードを手によって抜き取ることができないので、サービスが中断したり、次からカードの使用ができないということがなく、サービスが向上する。また、カードを搬送させる必要がないので、カード詰まりが発生しないとともに、カードの汚れが低減するので、カードをクリーニングすることなく再利用が可能になる。
【００２２】
また、請求項２記載の発明によれば、ホルダーとソレノイドといった必要最小限の部品によって構成されるので、構造が簡素化されるだけではなく、装置が小型するとともに安価に形成される。
【００２３】
また、請求項３記載の発明によれば、カードから手を離す前にカードが回動しないので、手に違和感を感じさせることがなく使い勝手が向上する。また、カードが凹部に収納された後カードの回動が停止するので、カードが凹部の壁に突き当たり凹部から飛び出るようなことがなく収納される。
【図面の簡単な説明】
【図１】本発明に係る非接触型ＩＣカード処理装置の背面図である。
【図２】図１におけるＩＩ−ＩＩ  線断面図である。
【図３】本発明に係る非接触型ＩＣカード処理装置におけるホルダーの全体を示す斜視図である。
【図４】本発明に係る非接触型ＩＣカード処理装置におけるカバーを示し、同図（ａ）は正面図、同図（ｂ）は同図（ａ）におけるＩＶ（ｂ）−ＩＶ（ｂ）  線断面図である。
【図５】本発明に係る非接触型ＩＣカード処理装置において、カード処理の動作を説明するために要部を拡大して示した断面図である。
【図６】本発明に係る非接触型ＩＣカード処理装置の第２の実施の形態を示す正面図である。
【符号の説明】
１…非接触型ＩＣカード処理装置、２…基板、３…カードリーダ、４…ホルダー、５…ソレノイド、６…非接触型ＩＣカード、７…カバー、１０…凹部、１９…溝、２０…レバー部、２５…ウォーム、２６…セクタギア。
【図１】
0003613053.tif 000002
【図２】
0003613053.tif 000003
【図３】
0003613053.tif 000004
【図４】
0003613053.tif 000005
【図５】
0003613053.tif 000006
【図６】
0003613053.tif 000007